(57)【特許請求の範囲】
【請求項１】
（ａ）組成物中５〜４０重量％の脂肪酸アルカリ塩と、（ｂ）組成物中０．０１〜１０重量％のポリオキシエチレンポリオキシプロピレンペンタエリスリトールエーテルとを配合したことを特徴とする洗浄剤組成物。
【請求項２】
（ｂ）ポリオキシエチレンポリオキシプロピレンペンタエリスリトールエーテルの配合量が組成物中０．１〜５重量％となされた請求項１記載の洗浄剤組成物。
【請求項３】
チューブ式容器に洗浄剤組成物を充填して構成された洗浄剤であって、洗浄剤組成物として請求項１または２記載のものが充填されてなることを特徴とする洗浄剤。
【請求項４】
ディスペンサー容器に洗浄剤組成物を充填して構成された洗浄剤であって、洗浄剤組成物として請求項１または２記載のものが充填されてなることを特徴とする洗浄剤。
【発明の詳細な説明】
【技術分野】
【０００１】
本発明は、各温度帯において優れた使用感を発揮することができる洗浄剤組成物に関するものである。
【背景技術】
【０００２】
ジェル状洗浄剤は数多く提案されているが、粘度が低温で上昇し、高温で低下するという、いわゆる温度依存性を持っている。
【０００３】
この粘度に関しては、長期安定性を高めるために、長鎖アシルアミノ酸塩型陰イオン性界面活性剤とキサンタンガムと非イオン性界面活性剤とをある特定の割合で配合したものが提案されている（例えば、特許文献１参照。）
【特許文献１】特開平１１−３２３３８８号公報
【発明の開示】
【発明が解決しようとする課題】
【０００４】
しかし、上記従来のジェル状洗浄剤のように粘度の長期安定性を高めたものであっても、温度依存性の課題は解決されておらず、チューブ式容器やディスペンサー容器に充填して使用する場合、低温では粘度が高くなって取り出し難くなり、高温では粘度が低くなって液ダレが起こるといった不都合を生じることとなる。
【０００５】
本発明は、係る実情に鑑みてなされたものであって、長期安定性はもちろんのこと、温度に左右されることなく優れた使用感が得られる洗浄剤組成物を提供することを目的としている。
【課題を解決するための手段】
【０００６】
上記課題を解決するための本発明の洗浄剤組成物は、（ａ）脂肪酸アルカリ塩と、（ｂ）ポリエチレンポリプロピレンペンタエリスリトールエーテルおよびまたは（ｃ）ポリオキシプロピレンソルビトールエーテルを配合したものである。
【０００７】
（ａ）脂肪酸アルカリ塩としては、ラウリン酸、ミリスチン酸、パルミチン酸、ステアリン酸、イソステアリン酸、オレイン酸等の脂肪酸の、ナトリウム塩、カリウム塩、カルシウム塩、マグネシウム塩、アンモニウム塩、トリエタノールアミン塩、トリプロパノールアミン塩等のアルカリ塩を挙げることができる。好適な脂肪酸アルカリ塩の具体例としては、ラウリン酸、ミリスチン酸、パルミチン酸、ステアリン酸、オレイン酸、イソステアリン酸のナトリウム、カリウムの単独または混合塩等が挙げられる。
【０００８】
これらは単独で使用してもよいし、２つ以上を混合して使用してもよい。
【０００９】
本発明においては、組成物中の上記（ａ）脂肪酸アルカリ塩の含有量は５〜４０重量％が好ましい。この含有量が５重量％未満であると、泡立ちや洗浄力が劣り、逆に４０重量％を超えると、洗浄力が強くなりすぎて、使用後にツッパリ感を感じるので好ましくない。
【００１０】
本発明の洗浄剤組成物は、成分（ａ）である上記脂肪酸アルカリ塩と共に、少なくとも（ｂ）ポリエチレンポリプロピレンペンタエリスリトールエーテルおよびまたは（ｃ）ポリオキシプロピレンソルビトールエーテルを含有する。これにより、各温度における粘度に差が無く（温度依存性が無く）、粘度が経時的に安定して、かつ、流動性にも問題を生じることが無くなる。また、使用に当たっては、使用性、使用感触に優れ、かつ使用後の洗い落としに手間がかからない。
【００１１】
本発明においては、組成物中の上記（ｂ）ポリエチレンポリプロピレンペンタエリスリトールエーテルおよびまたは（ｃ）ポリオキシプロピレンソルビトールエーテルの含有量は０．０１〜１０重量％、より好ましくは０．１〜５重量％が好ましい。この含有量が０．０１重量％未満であると、温度依存性無く経時的に粘度を安定させる効果が得られず、逆に１０重量％を超えると、効果が飽和し、かつ、他の組成物との配合バランスを保てなくなるので好ましくない。
【００１２】
これら（ｂ）ポリエチレンポリプロピレンペンタエリスリトールエーテルおよび（ｃ）ポリオキシプロピレンソルビトールエーテルは、何れか一方のみを使用しても良いし、２つを混合して使用してもよい。２つを混合して使用する場合、配合比は特に限定されるものではなく、両者の配合量の総量が上記したように０．０１〜１０重量％の範囲であれば良い。
【００１３】
本発明の洗浄剤組成物には、上記成分の他に、本発明の効果を損なわない範囲で、アルコール類、多糖類、油剤、タンパク質誘導体、薬剤、無機酸またはその塩類、有機酸またはその塩類、酸化防止剤、紫外線吸収剤、色素、香料、その他洗浄剤組成物に一般に配合される各種の成分を含んでいてもよい。
【００１４】
本発明の洗浄剤組成物は、上記各成分を、アルコールや水などの溶媒と混合し、所定の温度で加熱溶解して調製することができる。
【００１５】
このようにして得られた洗浄剤組成物は、各温度における粘度に差が無く（温度依存性が無く）、粘度が経時的に安定して、かつ、流動性にも問題を生じることが無くなる。具体的には、氷点下の温度から体温以上の温度まで、日常生活で想定される過酷な温度変化（実施例では−５℃〜４０℃）を与えたとしても、粘度の変化率（１００−（４０℃１ヶ月保存後の粘度／−５℃１ヶ月保存後の粘度）×１００）は、５０％未満、より好ましい配合にした場合には３０％未満にすることができる。
【００１６】
したがって、特にチューブ式容器や、ディスペンサー容器に充填して使用する場合には、優れた効果を実感しやすくなる。
【００１７】
チューブ式容器の場合、５０００〜３０００００ｍＰａ・ ｓ程度の粘度が好ましく、ディスペンサー容器の場合、３０００〜３００００ｍＰａ・ ｓ程度の粘度が好ましいとされており、これら適応粘度の範囲内となるように各洗浄剤組成物は調製される。そして、調製された各洗浄剤組成物の粘度にあわせてそれぞれの容器は設計されている。
【００１８】
例えば、チューブ式容器において、適応粘度が高く調製された洗浄剤組成物の場合、チューブ式容器の出口は、高く調製された適応粘度にあわせて大きく形成されているのが常であり、チューブ式容器自体は柔らかく形成されているのが常である。このような状況で粘度が低くなる方向に５０％以上変化すると、液ダレの原因となってしまう。また、逆に、チューブ式容器において、適応粘度が低く調製された洗浄剤組成物の場合、チューブ式容器の出口は、低く調製された適応粘度にあわせて小さく形成されているのが常であり、チューブ式容器自体は硬く形成されているのが常である。このような状況で粘度が高くなる方向に５０％以上変化すると、内容物を取り出し難くなってしまう。このような状況で本発明の洗浄剤組成物を使用すれば、日常生活で想定される過酷な温度変化があったとしても、粘度の変化を５０％未満、好ましくは３０％未満におさえることができるので、各チューブ式容器の優れた使用性を持続することができる。
【００１９】
同様に、ディスペンサー容器において、適応粘度が高く調製された洗浄剤組成物の場合、ディスペンサー容器のポンプは、高く調製された適応粘度にあわせて径が大きく形成されているのが常である。このような状況で粘度が低くなる方向に５０％以上変化すると、液ダレの原因となってしまう。また、逆に、ディスペンサー容器において、適応粘度が低く調製された洗浄剤組成物の場合、ディスペンサー容器のポンプは、低く調製された適応粘度にあわせて径が小さくストロークが長く形成されているのが常である。このような状況で粘度が高くなる方向に５０％以上変化すると、ポンプが操作し難くなり、内容物を取り出し難くなってしまう。このような状況で本発明の洗浄剤組成物を使用すれば、日常生活で想定される過酷な温度変化があったとしても、粘度の変化を５０％未満、好ましくは３０％未満におさえることができるので、各ディスペンサー容器の優れた使用性を持続することができる。
【００２０】
また、洗浄剤組成物の製造は、環境調整された工場で行なうので、平均気温５℃以下の冬季寒冷地域や、平均気温３０℃以上の夏季温暖地域に向けて洗浄剤を製造する場合、このような地域や季節を考慮して各成分の配合を変更しなければならない。しかし、本発明の洗浄剤組成物の場合は、各温度において粘度に大きな差を生じることがない（温度依存性がない）ので、地域や季節を考慮して各成分の配合を変更するといった煩わしさも無く、共通の配合で簡単に製造することができる。
【００２１】
さらに、このようにして製造された洗浄剤組成物をチューブ式容器やディスペンサー容器に充填した各種の洗浄剤は、上記したような平均気温５℃以下の冬季寒冷地域や、平均気温３０℃以上の夏季温暖地域でも問題なく優れた使用感で使用することができる。したがって、環境調整されていない屋外や、旅行や出張に携帯して環境変化するような場合であっても、何れの環境にも対応して優れた使用感が得られる。
【発明の効果】
【００２２】
以上述べたように、本発明の洗浄剤組成物によると、各温度において粘度に大きな差を生じることなく、経時的に粘度の安定を図ることができる。また、透明なジェル状の洗浄剤組成物であっても、各温度において粘度に大きな差を生じることなく、経時的に粘度の安定を図ることができる。したがって、季節や場所に関係無く、優れた使用性を得ることができる。
【発明を実施するための最良の形態】
【００２３】
以下、本発明を実施例によってさらに詳しく説明するが本発明はこれらの実施例に限定されるものではない。
実施例１〜６、比較例１
以下の製法により透明ジェル洗浄剤を調整した。
−洗顔料−
（１）パーム核油脂肪酸カリウム                    ３５．００重量％
（２）グリセリン                                    ６．００重量％
（３）ラウリルグリコール酢酸Ｎａ                    ２．００重量％
（４）ＥＤＴＡ−３Ｎａ                              ０．１０重量％
（５）ホ゜リオキシエチレンホ゜リオキシフ゜ロヒ゜レンヘ゜ンタエリスリトールエーテル       ０〜１０．００重量％
（６）ココアンホ酢酸Ｎａ                            ２．００重量％
（７）ＰＰＧ−９ジグリセリル                        ６．００重量％
（８）１，３−ブチレングリコール                    ２．００重量％
（９）ヒアルロン酸ナトリウム                        ０．２０重量％
（１０）アセチル化ヒアルロン酸                      ０．８０重量％
（１１）リン脂質共重合体                            ０．１０重量％
（１２）イオン交換水                                残部（合計１００重量％）
（１）〜（１２）の各成分を７０℃にて攪拌、混合し、均一な溶液を得た。
【００２４】
ゆっくりと攪拌しながら３０℃まで冷却し、ポリエチレンポリプロピレンペンタエリスリトールエーテルの配合量が異なる実施例１〜６、比較例１の各透明のジェル状洗浄剤を得た。
【００２５】
このようにして得られた各透明のジェル状洗浄剤を以下の方法で評価した。
【００２６】
結果を表１に示す。
【００２７】
表１から、本発明に係る実施例１ないし６の洗顔料は、粘度温度依存性、温度粘度変化率、経時粘度安定性、使用感（泡立ち、使用後のべたつき、使用後のしっとりさ）の各項目において優れたものであることが確認できた。
【００２８】
【表１】
0004814662.tif 000002
（粘度温度依存性）
以下の測定器を用いて試料の粘度を測定した。
【００２９】
粘度は−５℃、２５℃、４０℃の各温度で測定した。
【００３０】
測定機器：Ｂｒｏｏｋｆｉｅｌｄ社製  プログラマブルデジタル粘度計  ＲＶＤＶII＋
ＢＨ型  ローターNo.７１０ｒｐｍ
（温度粘度変化率）
−５℃と４０℃とで試料を１ヶ月保存した後、粘度を測定し、以下の指標で評価した。
粘度変化率＝１００−（４０℃１ヶ月保存後の粘度／−５℃１ヶ月保存後の粘度）×１００
◎：粘度変化率が３０％未満である
○：粘度変化率が３０％以上、５０％未満である
△：粘度変化率が５０％以上、８０％未満である
×：粘度変化率が９０％以上である
（経時粘度安定性）
各温度に保存した試料の外観、色調、匂いの変化を専門パネラー５名で目視にて確認した。
【００３１】
◎：全く変化のないもの
○：やや変化はみとめられるが、許容できるもの
△：変化のあるもの
×：変化の著しいもの
（泡立ち）
試料の３% 水溶液（ＣａＣｌ2 ７０ｐｐｍ硬水）を調製し、３０００ミリリットルのガラスカップミキサーにて、４５００ｒｐｍで２０秒攪拌した後の泡量を計測し、以下の通り評価した。
【００３２】
◎：泡立ち良好（泡量  ２０００ミリリットル以上）
○：泡立ち良好（泡量  １５００ミリリットル以上）
△：泡立ち普通（泡量  ８００ミリリットル以上１５００ミリリットル未満）
×：泡立ち不良（泡量  ８００ミリリットル未満）
（使用後のべたつき）
２０〜５０才の女性パネラーが１日２回（朝と夜）に使用して官能にて以下の評価をした。
【００３３】
◎：２０名中１６名以上がべたつきがないと感じた。
【００３４】
○：２０名中１２名以上がべたつきがないと感じた。
【００３５】
△：２０名中８名以上がべたつきがないと感じた。
【００３６】
×：２０名中４名以上がべたつきがないと感じた。
（使用後のしっとりさ）
２０〜５０才の女性パネラーが１日２回（朝と夜）に使用して官能にて以下の評価をした。
【００３７】
◎：２０名中１６名以上がしっとりしてつっぱらないと感じた。
【００３８】
○：２０名中１２名以上がしっとりしてつっぱらないと感じた。
【００３９】
△：２０名中８名以上がしっとりしてつっぱらないと感じた。
【００４０】
×：２０名中４名以上がしっとりしてつっぱらないと感じた。
実施例７〜１２、比較例２
以下の製法によりジェル状ボディーシャンプーを調整した。
−ジェル状ボディーシャンプー−
（１）ラウリン酸カリウム                          １５．００重量％
（２）ミリスチン酸カリウム                          ５．００重量％
（３）１，３−ブチレングリコール                  １０．００重量％
（４）ラウリン酸モノエタノールアミド                １．００重量％
（５）ヤシ油脂肪アシルメチルタウリンナトリウム      ３．００重量％
（６）ＥＤＴＡ−３Ｎａ                              ０．１０重量％
（７）ジステアリン酸エチレングリコール              １．５０重量％
（８）ホ゜リオキシフ゜ロヒ゜レンソルヒ゛トールエーテル                    ０〜１０．００重量％
（９）アロエエキス                                  ０．１０重量％
（１０）セラミド                                    ０．１０重量％
（１１）メチルセルロース                            ０．６０重量％
（１２）イオン交換水                                残部（合計１００重量％）
（１）〜（１２）の各成分を７０℃にて攪拌、混合し、均一な溶液を得た。
【００４１】
ゆっくりと攪拌しながら３０℃まで冷却し、ポリオキシプロピレンソルビトールエーテルの配合量が異なる実施例７〜１２、比較例２の各不透明のジェル状ボディーシャンプーを得た。
【００４２】
このようにして得られた各不透明のジェル状ボディーシャンプーを上記実施例１〜６、比較例１と同様の方法で評価した。
【００４３】
結果を表２に示す。
【００４４】
その結果、本発明に係る実施例７ないし１２のボディーシャンプーは、粘度温度依存性、温度粘度変化率、経時粘度安定性、使用感（泡立ち、使用後のべたつき、使用後のしっとりさ）の各項目において優れたものであることが確認できた。
【００４５】
【表２】
0004814662.tif 000003
実施例１３〜１８、比較例３
以下の製法により半透明の乳液状の洗浄剤を調整した。
−洗顔料−
（１）ラウリン酸Ｎ−メチルタウリンカリウム            ５．０重量％
（２）ミリスチン酸カリウム                          １０．０重量％
（３）パルミチン酸カリウム                            ２．０重量％
（４）ステアリン酸カリウム                            １．０重量％
（５）イソステアリン酸カリウム                        ５．０重量％
（６）ホ゜リオキシエチレンホ゜リオキシフ゜ロヒ゜レンヘ゜ンタエリスリトールエーテル         ０〜５．００重量％
（７）ホ゜リオキシフ゜ロヒ゜レンソルヒ゛トールエーテル                      ０〜５．００重量％
（８）ＰＯＥ（３）アルキルエーテル硫酸ナトリウム                   ２．０重量％
（９）グリセリン                                    １０．０重量％
（１０）プロピレングリコール                          ２．０重量％
（１１）ソルビトール                                  ５．０重量％
（１２）水溶性コラーゲン                              １．０重量％
（１３）ポリクオタニウム６                            ０．１重量％
（１４）イオン交換水                                残部（合計１００重量％）
（１）〜（１４）の各成分を７０℃にて攪拌、混合し、均一な溶液を得た。
【００４６】
ゆっくりと攪拌しながら３０℃まで冷却し、ポリオキシエチレンポリオキシプロピレンペンタエリスリトールエーテルおよびポリオキシプロピレンソルビトールエーテルの配合量が異なる実施例１３〜１８、比較例３の各半透明の乳液状の洗浄剤を得た。
【００４７】
このようにして得られた各半透明の乳液状の洗浄剤を上記実施例１〜６、比較例１と同様の方法で評価した。
【００４８】
結果を表３に示す。
【００４９】
【表３】
0004814662.tif 000004
その結果、本発明に係る実施例１３ないし１８の洗顔料は、粘度温度依存性、温度粘度変化率、経時粘度安定性、使用感（泡立ち、使用後のべたつき、使用後のしっとりさ）の各項目において優れたものであることが確認できた。
実施例１９
上記実施例１３ないし１８において、同量で配合したポリオキシエチレンポリオキシプロピレンペンタエリスリトールエーテルおよびポリオキシプロピレンソルビトールエーテルについて、配合量の合計はそのままで、配合比を１対９および９対１と変化させたそれぞれの場合についてそれぞれ洗顔料を調製した。
【００５０】
このようにして得られた各洗顔料を上記実施例１〜６、比較例１と同様の方法で評価した。
【００５１】
その結果、ポリオキシエチレンポリオキシプロピレンペンタエリスリトールエーテルとポリオキシプロピレンソルビトールエーテルとの配合比に関係無く、これらの合計の配合量が同じであれば、上記実施例１３ないし１８と同様に、粘度温度依存性、温度粘度変化率、経時粘度安定性、使用感（泡立ち、使用後のべたつき、使用後のしっとりさ）の各項目において優れたものであることが確認できた。
【産業上の利用可能性】
【００５２】
環境変化の激しい場所で使用できる洗浄剤として利用できる。